(57)【特許請求の範囲】
【請求項１】
少なくとも一枚以上のレンズを保持するレンズフレームと、該レンズフレーム長軸にほぼ平行に延び左右後端部にテンプルが設置可能な支持用フレームとが、前記レンズフレーム上辺で、互いに連結され、前記支持用フレームの中央部が回動軸となるようにされ、前記支持用フレームがレンズフレーム長軸にほぼ平行な軸を中心としてレンズ前方からレンズ後方に、ほぼ１８０度の範囲内で回動可能にされレンズ保護機能を持たせるようにされた事を特徴とする眼鏡。
【請求項２】
少なくとも一枚以上のレンズを保持するレンズフレームと、該レンズフレーム長軸にほぼ平行に延び左右後端部にテンプルが設置可能な支持用フレームとが、前記レンズフレーム上辺で、互いに連結され、前記支持用フレームの中央部が回動軸となるようにされ、前記レンズフレームが前記支持用フレーム長軸にほぼ平行な軸を中心として垂直状態から後方にほぼ１８０度の範囲内で任意の位置で停止可能に且つ回動可能にされレンズ保護機能を持たせるようにされた事を特徴とする眼鏡。
【請求項３】
前記レンズフレームの中央部が回動軸となるようにされた事を特徴とする請求項１又は２に記載の眼鏡。
【発明の詳細な説明】
【技術分野】
【０００１】  本発明は、レンズ保護眼鏡及びそれに付随した傾斜機能を利用した眼鏡に関する。
【背景技術】
【０００２】  従来、レンズ保護眼鏡としてそのテンプルを使用し眼鏡レンズの表面を傷等から守る為に提案されたものがある。例えば（１）特公昭５２−２０２７０号の様に、ブリッジの中央部を回転させて、そのＶ型突出部を山の切込みに嵌合した物や、（２）実公平０１−３２０２４号の様に、ツルをケース化し智部を支軸にして１８０度回動可能にしてレンズをカバーした物や、（３）特許３０８７１７５号の様に、テンプル先端部を鉤型にしテンプルを折り畳んだ時に該先端部がフロントから突出してレンズを保護するようにした物があった。
【特許文献１】特公昭５２−２０２７０号
【特許文献２】実公平０１−３２０２４号
【特許文献３】特許３０８７１７５号
【発明の開示】
【発明が解決しようとする課題】
【０００３】  しかしながら、上記（１）に於いては、中央ブリッジの回転部に於いて、Ｖ型突出部と山の切り込みの回動がスムーズに廻り難く、且つ折り畳んだ時嵩張ってしまった。【０００４】  又、上記（２）に於いては、収納携帯には便利であるが、実際に掛ける場合耳掛け部分が太く掛け難く、見栄えも悪かった。【０００５】  そして、上記（３）の場合は、机上に置いておく場合は良いが、携帯する場合、特に衣服に入れて持ち運ぶ場合突出部が邪魔になり衣服に引っ掛かり損傷してしまう事も生じてしまった。又上記いずれの技術にもフロントフレームの傾斜機能は付いていない。
【課題を解決するための手段】
【０００６】  そこで本発明に於いては、上記課題を解決する為に、先ず、少なくとも一枚以上のレンズを保持するレンズフレームと、該レンズフレーム長軸にほぼ平行に延び左右後端部にテンプルが設置可能な支持用フレームとが、前記レンズフレーム上辺で、互いに連結され、前記支持用フレームがレンズフレーム長軸にほぼ平行な軸を中心としてレンズ前方からレンズ後方に、ほぼ１８０度の範囲内で回動可能にされた事を特徴とする眼鏡の提供を図った。【０００７】  次に、少なくとも一枚以上のレンズを保持するレンズフレームと、、該レンズフレーム長軸にほぼ平行に延び左右後端部にテンプルが設置可能な支持フレームとが、前記レンズフレーム上辺で、互いに連結され、前記レンズフレームが前記支持用フレーム長軸にほぼ平行な軸を中心として垂直状態から後方にほぼ１８０度の範囲内で任意の位置で停止可能に且つ回動可能にされた事を特徴とする眼鏡の提供を図った。【０００８】  又、前記支持用フレームの中央部が回動軸となるようにした。【０００９】  そして、逆に、前記レンズフレームの中央部が回動軸となるようにする事も可能である。【００１０】  そして、前記支持用フレームが少なくとも二本の部材により形成され、レンズフレーム上辺中央部から上辺左右端部迄の間に於いて、それぞれの支持用フレームが同一の回動手段又は別々の回動手段に連結されている眼鏡の提供。【００１１】及び、前記二本の部材により形成された支持用フレームのどちらか一方、又は両方各々、もしくは両方一緒にレンズフレーム長軸にほぼ平行な軸を中心としてレンズ前方からレンズ後方に、或いはその逆にほぼ１８０度の範囲内で同一の回動手段又は別々の回動手段を介し回動可能にされた眼鏡の提供。
【発明の効果】
【００１２】  上記手段を採用することにより、テンプルの回動がスムーズに行え、折り畳んだ際のテンプルの干渉が少なくなり嵩張らなくなった。そして、通常のテンプルとして使用出来通常のメガネとして使用できるデザインとなった。衣服に入れ携帯する場合も引っ掛かる事も無くスムーズに出し入れが可能で、確実にレンズの保護も出来る事となった。又、その元々の備わった回動機能をそのまま使用したレンズフレームの傾斜機能も利用可能となった。この傾斜機能は多焦点レンズ又は累進多焦点レンズ等をを装着した場合に非常に有用である。
【発明を実施するための最良の形態】
【００１３】  少なくとも一枚以上のレンズを保持するレンズフレームと、該レンズフレーム長軸にほぼ平行に延び左右後端部にテンプルが設置可能な支持用フレームとが、前記レンズフレーム上辺で、互いのほぼ中央で連結され、前記支持用フレームがレンズフレーム長軸にほぼ平行な軸を中心としてレンズ前方からレンズ後方に、或いは、前記レンズフレームが前記支持用フレーム長軸にほぼ平行な軸を中心として垂直状態から後方にほぼ１８０度の範囲内で任意の位置で停止可能に且つ回動可能にされた事を特徴とする眼鏡。
【実施例１】
【００１４】  図１は、本発明の実施例の斜視図であり、少なくとも一枚以上のレンズＬ、Ｌを保持するレンズフレーム１０と、該レンズフレーム長軸にほぼ平行に延び左右後端部にテンプル３０、３０ａが設置可能な支持用フレーム２０、２０ａとが、前記レンズフレーム上辺で、互いのほぼ中央で連結され、前記支持用フレーム２０、２０ａがレンズフレーム長軸にほぼ平行な軸を中心としてレンズ前方からレンズ後方に、或いはその逆にほぼ１８０度の範囲内で回動可能にされ前記テンプル３０、３０ａによりレンズＬが保護される様にされた状態を表している。【００１５】  図２は、本発明の実施例の平面図であり、この場合、支持用フレーム２０ｂ、２０ｃが一体的に形成されるか、或いは一体的に可動し回動するようにされている場合の動作説明図であり、テンプル部分３０ｂ，３０ｃを開いた状態、すなわち、眼鏡を外して片付ける時の状態であり、この状態からテンプル３０ｂ，３０ｃを下方から前方に回動することにより、支持用フレーム２０ｂ，２０ｃはレンズフレーム１０ａの後部に廻り込み、テンプル部分は前方に行く、そして、ヒンジ部分で折り畳むことによりレンズ前面をカバーするように嵩張らずに折り畳まれる。そして、又、衣服のポケット等に入れてもスムーズに出し入れが可能となる。この場合は、テンプル及び支持用フレームを操作する様に記載してあるが、逆にレンズフレーム１０を操作する場合は手前に回すか引く様になるのは言うまでもない。支持用フレーム２０ｂ、２０ｃ又はレンズフレーム１０ａのどちらを操作して動かすかは任意であり、装着者の自由である。【００１６】図３は、本発明の実施例の側面図であり、図１の場合とは逆に支持用フレームは動かさずに、前記レンズフレーム１０の方を動かし、前記支持用フレーム２０、２０ａの前面の長軸にほぼ平行な軸を中心として垂直状態から後方にほぼ１８０度の範囲内で任意の位置で停止可能に且つ回動可能にされた場合であり、操作の仕方が異なるだけで、装着者が眼鏡を掛けた状態でレンズフレーム１０を顔の方に引くか、前のほうから顔の方に押す事により傾斜する事が可能である。レンズフレームが傾斜する事により多焦点レンズ等を使用した場合に於いて近くの物が見易くなる。又回動軸部分はアガキを当然持たせてあるのでその位置Ｐで停まった状態になる。眼鏡を外して折り畳む場合はレンズフレーム１０を更に上に回動させＱの位置まで持って来て折り畳めばレンズ保護機能も有する事が可能である。【００１７】  図４及び図５は本発明の実施例の他の応用例平面図であり、図４の場合、支持用フレーム２０ｄ，２０ｅが別々に形成され、別々に回動するようにされた場合、或いは、片一方のみが回動可能にされ、もう一方は動かない様に固定された場合である。この図の場合は右側の支持フレーム２０ｄ及びテンプル３０ｄが回動する方として表されている。これが下方から前方に向かい回動されレンズ前方で折り畳まれた状態を表している。そして、もう一方の支持フレーム２０ｅ及び左側のテンプル３０ｅは図の様に、レンズフレーム１０ｂの裏側（後方）に折り畳まれる様に回動手段４０は別々に可動される様になっていても良い。又、レンズフレーム表側（前方）に折り畳まれても良い。又、ここで示されている左側の支持フレーム２０ｅは回動しない様に、固定され裏側（後方）に折り畳まれるようにされても良い。【００１８】  図５は、回動手段（回動機構）４１、４１ａをレンズフレーム中央部５０ではなく、上辺左右端部に別々に設けた場合であり、勿論、レンズフレーム中央部５０から左右端部の間であっても良い。【００１９】  図６は図４の左側の支持フレーム及びそれに続くテンプル片方をレンズ前方に折り畳んだ状態の正面図でありデザイン的にもスッキリしているのが解かる。ここで回動手段４０ａとブリッジ５１は別々に形成されているが、これは勿論一体化されて形成されても良く、眼鏡自体も、フルリム、ハーフリム、リムレスタイプの眼鏡であっても構わない。【００２０】  又、図７の様に、一方の支持フレーム及びテンプルが回動可能に、レンズフレーム中央部から上辺部の任意の箇所に設けられ、もう一方は通常のテンプルとして、従来の様にレンズフレーム外側肩部２０ｆにロウ付け等で固定されても良く、それが非対称となりデザイン的には面白い物が出来上がる。【００２１】  図８、９、１０、は上記回動手段（４０、４０ａ）の実施例図であるが、勿論この図に限定されるものではなくあくまで一つの実施例である。【００２２】  図８は長軸方向に対し垂直に輪切り状にした断面図であり、一本の部材により形成された支持フレーム２０ｍを弾性を有する部材６０によりカバーしほぼ１８０度の範囲で回動可能にされた状態を表している。この場合、支持用フレームは逆にレンズフレームであっても良い。この他に、例えば、ネジ丁番の構造を利用したものや、コイルバネ、板バネ、線状バネ、を利用したもの、或いはネジとバネの組み合わせを利用したもの、そして、それらと停止保持手段との組み合わせは公知であり、勿論それら公知の手段を利用した構造であって構わない。【００２３】  図９は回動手段（回動機構）要部平面図であり、二本の部材により支持フレーム２０ｈ、２０ｇがそれぞれ形成され互いに連結されて連動し回動するようにされた場合の実施例の一つのパターンであり、バネ（板バネ、コイルバネ、線状バネ等）７０，７０ａと停止手段８０、８０ａの組み合わせを利用したものであるが、これも上記した様にこの構造のみにこだわるものではなく、ネジとの組み合わせを利用したものであっても良い。この場合も、支持用フレーム２０ｈ、２０ｇがレンズ用フレームであっても構わない。【００２４】  図１０は支持用フレーム２０ｊ、２０ｋが別々に可動し回動する機構の一例としての要部平面図である。この場合も、バネ部材７０ｂ、７０ｃとネジ部材９０，９０ａの組み合わせで支持用フレーム７０ｂ、７０ｃが個々に回動可能にされた状態を表している。これも上記した様にこの構造だけに限定されるものではなく、公知構造及び機構であって構わない。【００２５】  上記した様に、本発明は簡単な構造で、眼鏡のレンズ保護が可能となり、携帯・収納も容易で、デザインの多様化も可能である。
【産業上の利用可能性】
【００２６】  老眼鏡、サングラスは勿論、矯正用、又は多焦点用の眼鏡にも応用可能であり、幅広い需要が見込める。
【図面の簡単な説明】
【００２７】
【図１】本発明の実施例の全体斜視図
【図２】本発明の実施例の平面図
【図３】本発明の実施例のレンズフレームを操作する場合の説明用側面図
【図４】本発明の他の実施例の平面図
【図５】本発明の他の実施例の平面図
【図６】本発明の実施例の正面図
【図７】本発明の他の実施例の正面図
【図８】本発明の実施例の回動手段部分の要部断面図
【図９】本発明の実施例の回動手段部分の要部平面図
【図１０】本発明の他の実施例の回動手段部分の要部平面図
【符号の説明】
【００２８】１０          レンズフレーム
２０，２０ａ  支持用フレーム
２１，２２    支持用フレーム後端部
３０．３０ａ  テンプル
４０          回動手段
５０          ワタリ（ブリッジ）中間部
６０          弾性を有する部材
７０，７０ａ  バネ
８０、８０ａ  停止手段（ストッパー）
９０，９０ａ  ネジ
Ｌ            レンズ
【図１】
0005569765.tif 000002
【図２】
0005569765.tif 000003
【図３】
0005569765.tif 000004
【図４】
0005569765.tif 000005
【図５】
0005569765.tif 000006
【図６】
0005569765.tif 000007
【図７】
0005569765.tif 000008
【図８】
0005569765.tif 000009
【図９】
0005569765.tif 000010
【図１０】
0005569765.tif 000011